(57)【特許請求の範囲】
【請求項１】
室内壁面の上部に沿わせるように配設され、吹出口を備えた長押体と、前記長押体の内部に収容され、前記吹出口に向けて送気する送風手段と、を備え、
前記長押体の上端部には、前記送風手段の吸込側に連通する吸込口が上方に向けて開口するように設けられ、前記吹出口は、当該長押体に吊り下げ保持される被乾燥物と前記室内壁面との間に吹き出すように、該長押体の下端部に下方に向けて開口するように形成され、かつ、該長押体の前面側は、平板部とされていることを特徴とする乾燥物干し装置。
【請求項２】
請求項１において、
前記長押体は、前記室内壁面に固定される長押体本体と、該長押体本体及び前記送風手段の前面側を覆う前記平板部を有したカバー体と、を備えていることを特徴とする乾燥物干し装置。
【請求項３】
請求項１または２において、
前記被乾燥物を吊り下げ保持する吊下具が係止される係止部が、前記長押体の上縁部に沿って形成されていることを特徴とする乾燥物干し装置。
【発明の詳細な説明】
【技術分野】
【０００１】
本発明は、室内壁面に沿わせるように配設され、長押体と送風手段とを備えた乾燥物干し装置に関する。
【背景技術】
【０００２】
従来より、衣類などの被乾燥物を屋外ではなく室内において物干し装置等を用いて乾燥することが行われている。
例えば、下記特許文献１には、室内空間に設置される衣類の乾燥システムが提案されている。この乾燥システムは、室内空間の空気を循環させる送風ユニットを天井や壁面に沿わせて設け、衣類が支持される衣類支持手段としての物干し竿を、上記送風ユニットの吹出口から吹き出される気流が衣類に当たるように壁面に固定して配置させる構成とされている。
【先行技術文献】
【特許文献】
【０００３】
【特許文献１】特開２０１１−１０１７８５号公報
【発明の概要】
【発明が解決しようとする課題】
【０００４】
しかしながら、上記特許文献１に記載された乾燥システムでは、送風ユニットを天井や壁面に沿わせて設け、衣類が支持される衣類支持手段としての物干し竿を、上記送風ユニットの吹出口から吹き出される気流が衣類に当たるように壁面に固定して配置させる構成とされている。そのため、これら送風ユニットや物干し竿が目立ち易く、室内空間において違和感が生じるという問題があった。また、衣類を干さない場合には、壁面に固定された物干し竿が邪魔になることも考えられる。
【０００５】
本発明は、上記実情に鑑みてなされたものであり、室内空間において違和感が生じ難く、邪魔になり難い乾燥物干し装置を提供することを目的とする。
【課題を解決するための手段】
【０００６】
上記目的を達成するために、本発明に係る乾燥物干し装置は、室内壁面の上部に沿わせるように配設され、吹出口を備えた長押体と、前記長押体の内部に収容され、前記吹出口に向けて送気する送風手段と、を備え、前記長押体の上端部には、前記送風手段の吸込側に連通する吸込口が上方に向けて開口するように設けられ、前記吹出口は、当該長押体に吊り下げ保持される被乾燥物と前記室内壁面との間に吹き出すように、該長押体の下端部に下方に向けて開口するように形成され、かつ、該長押体の前面側は、平板部とされていることを特徴とする。
【０００７】
本発明においては、前記長押体は、前記室内壁面に固定される長押体本体と、該長押体本体及び前記送風手段の前面側を覆う前記平板部を有したカバー体と、を備えていてもよい。
さらに、本発明においては、前記被乾燥物を吊り下げ保持する吊下具が係止される係止部が、前記長押体の上縁部に沿って形成されていてもよい。
【発明の効果】
【０００８】
本発明に係る乾燥物干し装置によれば、室内空間において違和感が生じ難く、また、被乾燥物を干さない場合において、当該乾燥物干し装置が邪魔になるようなことを抑制することができる。
【図面の簡単な説明】
【０００９】
【図１】（ａ）、（ｂ）は、本発明の一実施形態に係る乾燥物干し装置の一例を模式的に示し、（ａ）は、図１（ｂ）のＡ−Ａ線矢視に対応させた概略縦断面図、（ｂ）は、同乾燥物干し装置の概略正面図である。
【図２】同乾燥物干し装置の一部破断分解概略斜視図である。
【発明を実施するための形態】
【００１０】
以下に本発明の実施の形態について、図面に基づいて説明する。
なお、一部の図では、他図に付している詳細な符号の一部を省略している。
また、以下の実施形態では、乾燥物干し装置１が施工された状態において、当該乾燥物干し装置１に対面した使用者を基準として、前後方向、上下方向等の方向を説明する。
【００１１】
図１及び図２は、本実施形態に係る乾燥物干し装置１の一例について説明するための概念的な説明図である。
本実施形態に係る乾燥物干し装置１は、吹出口１４を備えた長押体１０と、この吹出口１４に向けて送気する送風手段３０とを備えている。
長押体１０は、図１（ｂ）に示すように、略帯板状体とされている。この長押体１０は、造作材として配設される長押状の外観を呈し、図１（ｂ）に示すように、その長手方向が天井面と略平行となるようにして室内壁面２の上部に沿わせるように配設される。
長押体１０は、天井面に近接させて壁面２に沿わせるように配設してもよいし、天井面からある程度の間隔を隔てて配設してもよい。
また、長押体１０の長手方向の長さ寸法は、図例のように、壁面２の幅寸法よりも短い寸法としてもよく、または、壁面２の幅方向の略全体に亘る長さ寸法としてもよい。
【００１２】
また、長押体１０に設けられた吹出口１４は、当該長押体１０に吊り下げ保持される衣類等の被乾燥物（洗濯物）６０と室内壁面２との間に吹き出すように形成されている。
この被乾燥物６０は、これを吊り下げ保持するハンガー等の吊下具５０のフック部５１を、後記する長押体１０の係止部２１ａに係止させて、当該長押体１０に吊り下げ保持する態様としてもよい。
【００１３】
本実施形態では、送風手段３０を、長押体１０の内部に収容している。また、本実施形態では、長押体１０の上部に、送風手段３０の吸込側に連通する吸込口１３を設けている。
また、本実施形態では、図１（ａ）及び図２に示すように、長押体１０は、室内壁面２に固定される長押体本体１１と、この長押体本体１１及び送風手段３０の前面側を覆うカバー体２０とを備えている。
長押体本体１１は、側面視して略矩形状で帯板状とされている。
カバー体２０は、長押体本体１１の前面側に沿わせるようにして配設される略細長平板状の平板部２２と、この上端部に設けられ、長押体本体１１の上面よりも上方側に向けて突出するように配設される突出片部２１とを備えている。
突出片部２１は、平板部２２の背面よりも後方側に突出するように形成されており、これらの段差部位に、長押体本体１１の上端前縁部が係合する。この突出片部２１は、その長手方向の略全体が、被乾燥物６０を吊り下げ保持する吊下具５０などが係止される係止部２１ａとして機能する。
なお、吊下具５０のフック部５１などが係止される係止部２１ａは、長押体１０の上縁部１２に沿って形成されていればよく、図例のように、カバー体２０の突出片部２１の長手方向の略全体が係止部２１ａとして機能する構成に限定されるものではない。また、このようにカバー体２０の突出片部２１を係止部２１ａとする態様に代えて、例えば、長押体本体１１の上面に、係止部としての係止突起を設けた態様としてもよい。
【００１４】
長押体本体１１及びカバー体２０としては、木質系材料から形成されたものとしてもよい。または、少なくともカバー体２０を、木質系材料から形成されたものとしてもよく、さらには、これらが合成樹脂系材料や金属系材料等から形成されたものとしてもよい。
この長押体本体１１を室内壁面２に固定する態様としては、図２に示すように、長押体本体１１の長手方向の複数箇所に、厚さ方向に貫通孔を設け、これらにビス等の止具をねじ込むことで固定するようにしてもよい。
また、カバー体２０を長押体本体１１に固定する態様としては、図２に示すように、例えば、略Ｌ字状の固定具等を介して、ビス等の止具によって長押体本体１１に固定するようにしてもよい。つまり、本実施形態では、このカバー体２０を長押体本体１１に固定する止具を、長押体本体１１の上面側に設けている。これによれば、カバー体２０を長押体本体１１に固定する止具を目立ち難くすることができる。
なお、長押体本体１１の室内壁面２への固定態様、及びカバー体２０の長押体本体１１への固定態様は、上記した例に限定されることはない。例えば、長押体本体１１を、粘着テープ等の粘着材や接着剤等を用いて室内壁面２に固定する態様としてもよい。また、カバー体２０及び長押体本体１１に互いに嵌め込まれることで係合する係合部等を設け、カバー体２０を長押体本体１１に嵌め込み固定する態様としてもよい。
【００１５】
また、長押体本体１１の長手方向の一部分には、当該長押体本体１１の厚さ内において、前面４１が斜め下方側を向く傾斜板状部４０が設けられている。つまり、この傾斜板状部４０は、その上端部が長押体本体１１の上端前縁部に位置する一方、その下端部が長押体本体１１の下端後縁部に位置するように傾斜した形状とされている。このような形状により、この傾斜板状部４０の前面４１が斜め下方側を向く一方、後面４２が斜め上方側を向く構成となる。
この傾斜板状部４０は、当該長押体本体１１が木質系材料等から形成されている場合には、長押体本体１１の長手方向の一部分の前面側部位及び背面側部位を切り欠くようにして上記形状に形成するようにしてもよい。
長押体１０が室内壁面２に対して配設された状態では、図１（ａ）に示すように、傾斜板状部４０の後面４２とこの後面４２に連なる長押体本体１１の背面側凹み部位の両側内側面と室内壁面２とによって上方に向けて開口する空間が形成され、該開口が吸込口１３として機能する。また、傾斜板状部４０の前面４１とこの前面４１に連なる長押体本体１１の前面側凹み部位の両側内側面とカバー体２０の平板部２２とによって下方に向けて開口する空間が形成され、該開口が吹出口１４として機能する。
本実施形態では、この傾斜板状部４０の長手方向の略中央部分に、厚さ方向に貫通する開口部４３を設け、この開口部４３に送風手段３０を配設している。
【００１６】
送風手段３０としては、モーター等の駆動部によって回転駆動されるファン３０としてもよく、図例では、軸流ファンを採用した例を示している。
このファン３０は、傾斜板状部４０の厚さ方向に軸方向を沿わせた回転軸３３と、複数枚の羽根３２と、を備えており、回転軸３３に連結された駆動部によって回転軸３３廻りに回転される。また、このファン３０は、後面側が吸い込み側、前面側が吐き出し側となるように回転される。また、このようにファン３０が回転することで、吸込口１３を介して吸い込まれた空気が、傾斜板状部４０の後面４２側から前面４１側へ向けて送気され、吹出口１４から吹き出される構成とされている。
【００１７】
吹出口１４は、当該長押体１０の下端面において、下方側に向けて開口しているため、送風手段３０から吹き出された気流が長押体１０の下方に吹き出され、長押体１０に吊り下げ保持される被乾燥物６０と室内壁面２との間に空気が吹き出される構成となる。
上記のような構成とすれば、上方に向けて開口した吸込口１３から吸い込まれた空気は、ファン３０を介して吹出口１４に向けて略直線的な経路を経て、長押体１０の下方から吹き出される。
なお、送風手段としてのファン３０を組み込んだ傾斜板状部４０を、長押体本体１１とは別体として、長押体本体１１に組み付ける態様としてもよい。この場合は、長押体本体１１を長手方向に沿って分割し、その分割された部位に、上記別体とされた傾斜板状部４０を組み付ける態様としてもよい。
【００１８】
また、図例では、送風手段としてのファン３０を組み込んだ傾斜板状部４０を、単一とした例を示しているが、長押体本体１１の長手方向に沿って複数箇所に設けるようにしてもよい。
また、吸込口１３及び吹出口１４の長押体１０の長手方向に沿う長さ寸法を、スリット状に長尺にしてもよい。
【００１９】
また、上記駆動部を駆動制御する制御部や、オンオフ操作する操作部等を設けるようにしてもよい。
また、送風手段３０は、風量変更が可能とされたものとしてもよい。
また、上記駆動部や制御部等は、例えば、長押体本体１１の内部や壁面２の裏側などの屋内空間から見え難い場所に設けるようにしてもよい。また、上記操作部は、長押体１０の前面側や側部、室内壁面２等に設けるようにしてもよいし、または、リモートコントローラーとしてもよい。
【００２０】
また、送風手段３０としては、上記した軸流ファン３０に限られず、シロッコファン等の遠心型のファンや、クロスフローファンなどを採用するようにしてもよい。クロスフローファンを採用すれば、その軸方向を長押体１０の長手方向に沿わせることで、気流の吹き出される範囲を長押体１０の長手方向に比較的に長くすることができる。なお、このようなファンの態様に応じて、適宜、吸込口を形成するようにしてもよい。
【００２１】
本実施形態に係る乾燥物干し装置１によれば、室内空間において違和感が生じ難く、また、被乾燥物６０を干さない場合において、当該乾燥物干し装置１が邪魔になるようなことを抑制することができる。
つまり、被乾燥物６０を吊り下げ保持する長押体１０に吹出口１４を設けた構成としているので、室内壁面２の上部に沿わせるように配設した状態では、造作材としての長押状の外観を呈することができ、室内空間において違和感が生じ難い。また、被乾燥物６０を吊り下げない状態においても、室内壁面２の上部に沿わせるように配設される構成とされているので、長押体１０からなる乾燥物干し装置１が邪魔になるようなことを抑制することができる。
【００２２】
また、本実施形態では、この長押体１０の吹出口１４は、当該長押体１０に吊り下げ保持される被乾燥物６０と室内壁面２との間に吹き出すように形成されている。そのため、壁面２に沿わせるようにして吊り下げられる被乾燥物６０を効果的に乾燥させることができる。また、吹出口１４から吹き出された気流によって、室内壁面２と被乾燥物６０との接触を抑制することもでき、例えば、被乾燥物６０が未乾燥状態である場合にも、壁面２が濡れるようなことを抑制することができる。
【００２３】
さらに、本実施形態では、送風手段３０を長押体１０の内部に収容しているので、例えば、送風手段３０を室内壁面２に埋め込み、吹出口１４に向けてダクト等を配設する構造とした場合と比べて、大掛かりな工事等を伴うことなく当該乾燥物干し装置１を設置することができる。
【００２４】
さらにまた、本実施形態では、長押体１０の上部に送風手段３０の吸込側に連通する吸込口１３を設けているので、上方の吸込口１３から吸い込まれた空気が長押体１０の内部に収容された送風手段３０を経て下方側の吹出口１４から吹き出されることとなる。従って、例えば、長押体１０の側部や前面側等に吸込口１３を設けた場合と比べて、圧力損失を低減させることができ、効率的な送風を行うことができ、また、見栄えを向上させることができる。
【００２５】
また、本実施形態では、長押体１０が長押体本体１１と、送風手段３０の前面側を覆うカバー体２０とを備えた構成とされているので、送風手段３０の組み込み時における作業性を向上させることができる。また、カバー体２０を長押体本体１１から脱離させれば、送風手段３０などのメンテナンスを容易に行うこともできる。
【００２６】
さらに、本実施形態では、長押体１０の上縁部１２に沿って、被乾燥物６０を吊り下げ保持する吊下具５０が係止される係止部２１ａを、長押体１０の上縁部１２に沿って形成しているので、例えば、係止部２１ａを前面側や下端部等に設けた場合と比べて、係止部２１ａが目立ち難くなり、見栄えを向上させることができる。
また、本実施形態では、カバー体２０の全長に亘って形成された突出片部２１を、被乾燥物６０を吊り下げ保持する吊下具５０などが係止される係止部２１ａとしている。従って、例えば、長押体１０の上縁部に間隔を空けて複数の係止部としての係止突起等を設けた場合と比べて、造作材としての長押状の外観が阻害されることがなく、見栄えをより向上させることができる。
【００２７】
なお、本実施形態では、送風手段３０を長押体１０の内部に収容した例を示しているが、当該長押体１０が配設される壁体の内部に埋め込むようにして送風手段３０を設けるようにしてもよい。この場合は、適宜、ダクト等によって長押体１０の吹出口１４に連通接続する態様としてもよい。さらには、例えば、２４時間換気システムの送風手段に当該長押体１０の吹出口１４を連通接続する態様としてもよい。
また、本実施形態では、長押体１０を、長押体本体１１とカバー体２０とを備えた構成とした例を示しているが、一体的に形成されたものとしてもよい。
【符号の説明】
【００２８】
１                乾燥物干し装置
２                室内壁面
１０              長押体
１１              長押体本体
１２              上縁部
１３              吸込口
１４              吹出口
２０              カバー体
２１              係止部
３０              送風手段
５０              吊下具
６０              被乾燥物
【図１】
0005776003.tif 000002
【図２】
0005776003.tif 000003